(57)【要約】【課題】ボウル内面にカビや汚れが発生することが抑制され、清浄性を長期間維持することができる洋風便器を提供すること。【解決手段】溜め水Ｗを貯水するボウル２と、前記ボウル２内の溜め水Ｗを引き抜いて、再び前記ボウル２内へ供給するための循環流路３と、前記循環流路３に設けられた循環手段４と、前記循環流路３に設けられた除菌成分生成手段５と、を備え、前記溜め水Ｗは、前記ボウル２から前記循環流路３へと引き抜かれ、前記循環手段４によって前記除菌成分生成手段５へ供給されて除菌成分が付加された後、再び前記ボウル２内へと供給される循環が行われる洋風便器１とする。【選択図】図１
2016014281.tif 000002
【特許請求の範囲】
【請求項１】
溜め水を貯水するボウルと、
前記ボウル内の溜め水を引き抜いて、再び前記ボウル内へ供給するための循環流路と、
前記循環流路に設けられた循環手段と、
前記循環流路に設けられた除菌成分生成手段と、
を備え、前記溜め水は、前記ボウルから前記循環流路へと引き抜かれ、前記循環手段によって前記除菌成分生成手段へ供給されて除菌成分が付加された後、再び前記ボウル内へと供給される循環が行われることを特徴とする洋風便器。
【請求項２】
さらに、前記溜め水の循環のタイミングを制御する制御手段を備え、この制御手段は、前記溜め水の循環が、少なくとも５分〜３時間に１回行われる制御を行うことを特徴とする請求項１に記載の洋風便器。
【請求項３】
さらに、溜め水の濁度を検知する濁度検知センサーを備え、この濁度検知センサーによって測定される溜め水の濁度が所定の値を超えた場合に、前記溜め水の循環が行われることを特徴とする請求項１に記載の洋風便器。
【発明の詳細な説明】
【技術分野】
【０００１】
本発明は、洋風便器に関する。
【背景技術】
【０００２】
特許文献１には、貯水部内の固形物の不存在を感知したセンサーの作動により、貯水部内の溜め水を通水路に送水して、放水穴を介して便器内壁（ボウル内面）に放水する洋風便器が記載されている。この洋風便器では、貯水部内の溜め水が循環するため、水垢などが付着し難く、便器内壁（ボウル内面）が清潔に保たれるとされている。
【先行技術文献】
【特許文献】
【０００３】
【特許文献１】実開平1−120583号公報
【発明の概要】
【発明が解決しようとする課題】
【０００４】
しかしながら、特許文献１の洋風便器の場合、例えば、溜め水に雑菌が含まれているような場合には、この溜め水を循環させてもボウル内面におけるカビや汚れの発生を抑制することは難しいという問題がある。
【０００５】
本発明は、以上のとおりの事情に鑑みてなされたものであり、ボウル内面にカビや汚れが発生することが抑制され、清浄性を長期間維持することができる洋風便器を提供することを課題としている。
【課題を解決するための手段】
【０００６】
上記の課題を解決するために、本発明の洋風便器は、溜め水を貯水するボウルと、前記ボウル内の溜め水を引き抜いて、再び前記ボウル内へ供給するための循環流路と、前記循環流路に設けられた循環手段と、前記循環流路に設けられた除菌成分生成手段と、を備え、前記溜め水は、前記ボウルから前記循環流路へと引き抜かれ、前記循環手段によって前記除菌成分生成手段へ供給されて除菌成分が付加された後、再び前記ボウル内へと供給される循環が行われることを特徴としている。
【発明の効果】
【０００７】
本発明の洋風便器によれば、ボウル内面にカビや汚れが発生することが抑制され、清浄性を長期間維持することができる。
【図面の簡単な説明】
【０００８】
【図１】本発明の洋風便器の一実施形態を例示した縦断面概要図である。
【図２】本発明の洋風便器の別の実施形態を例示した縦断面概要図である。
【図３】本発明の洋風便器の別の実施形態を例示した縦断面概要図である。
【発明を実施するための形態】
【０００９】
図１は、本発明の洋風便器の一実施形態を例示した縦断面概要図である。図１では、便座、便座カバー、貯水タンクなどの図示は省略している。
【００１０】
洋風便器１は、ボウル２、循環流路３、循環手段４および除菌成分生成手段５を備えている。
【００１１】
ボウル２の材料は、例えば、陶器、樹脂などを例示することができる。ボウル２は、開口部２aから後方に向かって屈曲して延びるトラップ２bを有してボウル２内に溜め水Ｗを溜めることができる。
【００１２】
循環流路３は、ボウル２内の溜め水Ｗを引き抜いて、再びボウル２内へ供給するための流路である。この実施形態では、ボウル２の底面に、溜め水Ｗの引抜口３１と供給口３２が形成されており、循環流路３の一端が引抜口３１と接続しており、他端が供給口３２と接続している。
【００１３】
循環手段４は、引抜口３１側の循環流路３に設けられている。循環手段４は、ボウル２内から溜め水Ｗを循環流路３内に引き込んで、再びボウル２内へ供給することができるものであればよく、例えば公知のポンプなどを例示することができる。
【００１４】
除菌成分生成手段５は、循環手段４と供給口３２の間の循環流路３に設けられている。除菌成分生成手段５は、オゾン、塩素などの除菌成分を生成して、循環流路３から流入した溜め水Ｗに除菌成分を付加することができるものであればよく、特に限定されない。具体的には、除菌成分生成手段５は、公知のオゾン水生成装置、塩素水生成装置などを適宜採用することができる。オゾン水生成装置の場合、例えば、循環流路３を通じて供給された溜め水Ｗを電極で電気分解してオゾンガスを生成する電解方式の装置を好ましく例示することができる。塩素水生成装置の場合、例えば、循環流路３を通じて供給された溜め水Ｗに含まれる塩素イオンを電極で電気分解して、次亜塩素酸（HClO）や次亜塩素酸イオン（ClO-）などの殺菌成分を生成する電解方式の装置を好ましく例示することができる。
【００１５】
また、この実施形態の洋風便器１では、除菌成分生成手段５によって溜め水Ｗに付加される除菌成分の量は、循環流路３を流れる溜め水Ｗの量や除菌効果などを考慮して適宜設定することができる。さらに、ボウル２内の溜め水Ｗを循環させて、除菌成分を付加するタイミングも適宜設定することができる。
【００１６】
この実施形態の洋風便器１では、溜め水Ｗは、ボウル２から循環流路３へと引き抜かれ、循環手段４によって除菌成分生成手段５へ供給されて除菌成分が付加された後、再びボウル２内へと供給される循環が行われる。そして、このような循環が行われたボウル２内の溜め水Ｗには、除菌成分が含まれているため、ボウル２内面にカビや汚れが発生することが抑制され、清浄性を長期間維持することができる。
【００１７】
図２は、本発明の洋風便器の別の実施形態を例示した縦断面概要図である。図１で例示した実施形態と共通する部分には同一の符号を付し、以下では説明を省略する。
【００１８】
この実施形態の洋風便器１は、図１に例示した洋風便器１の循環手段４の付近に、溜め水Ｗの循環のタイミング、頻度を制御する制御手段６を備えている。制御手段６は、溜め水Ｗの循環が、洋風便器１の非使用時に間欠的に行われるように制御することができる。具体的には、制御手段６は、例えば便蓋が閉まっている状態を検知して、この状態において、溜め水Ｗの循環が、少なくとも５分〜３時間に１回行われるように制御するものであることが好ましい。
【００１９】
この実施形態の洋風便器１では、制御手段６によって、溜め水Ｗの循環のタイミング、頻度を制御することができるため、ボウル２内の溜め水Ｗに除菌成分が定期的に付加されて雑菌が除菌され、ボウル２内面の清浄性をより長期間維持することができる。
【００２０】
図３は、本発明の洋風便器の別の実施形態を例示した縦断面概要図である。図１で例示した実施形態と共通する部分には同一の符号を付し、以下では説明を省略する。
【００２１】
この実施形態の洋風便器１は、溜め水Ｗの濁度を検知する濁度検知センサー７を備えている。濁度検知センサー７は具体的に限定されず、透過光測定式、散乱光測定式、表面散乱光方式などの各種の方式を例示することができる。図３では、洋風便器１の濁度検知センサー７として、ボウル２の上側後方付近に設けられた光照射手段７１と、ボウル２底面付近に設けられた受光部７２を含む透過光測定式の形態を例示している。光照射手段７１から照射されて溜め水Ｗを透過した光を、受光部７２で受け取ることで溜め水Ｗの濁度を測定することができる。
【００２２】
溜め水Ｗの濁度は、溜め水Ｗに含まれる雑菌の繁殖の程度と相関関係があるため、この実施形態の洋風便器１は、濁度検知センサー７によって測定される溜め水Ｗの濁度が所定の値を超えた場合に、溜め水Ｗの循環が行われるように設定されている。なお、溜め水Ｗの循環が行われるか否かの基準となる溜め水Ｗの濁度の値は適宜設定することができる。
【００２３】
この実施形態の洋風便器１では、濁度検知センサー７によって測定される溜め水Ｗの濁度が所定の値を超えた場合に溜め水Ｗの循環が行われ、除菌成分生成手段５によって溜め水Ｗに除菌成分が付加される。このため、ボウル２内へ再び供給された溜め水Ｗは除菌成分によって雑菌が除菌され、ボウル２内面の清浄性をより長期間維持することができる。
【００２４】
なお、この実施形態では、例えば便蓋が閉まっている時に、除菌成分生成手段５による除菌成分の付加がなされない溜め水Ｗの循環が常時行われるように設定することもできる。この場合、濁度検知センサー７によって測定される溜め水Ｗの濁度が所定の値を超えた場合に、除菌成分生成手段５を作動させて溜め水Ｗに除菌成分を付加することができる。
【００２５】
以上のように、本発明の洋風便器１は、溜め水Ｗを貯水するボウル２と、ボウル２内の溜め水Ｗを引き抜いて、再びボウル２内へ供給するための循環流路３と、循環流路３に設けられた循環手段４と、循環流路３に設けられた除菌成分生成手段５とを備えている。そして、本発明の洋風便器１では、溜め水Ｗは、ボウルから循環流路３へと引き抜かれ、循環手段４によって除菌成分生成手段５へ供給されて除菌成分が付加された後、再びボウル２内へと供給される循環が行われる。このため、ボウル２内面にカビや汚れが発生することが抑制され、清浄性を長期間維持することができる。
【００２６】
本発明の洋風便器は、以上の実施形態に限定されることはない。例えば、循環流路、循環手段、除菌成分生成手段の配設位置や構成などは洋風便器の形態などに応じて適宜設計することができる。
【符号の説明】
【００２７】
１    洋風便器
２    ボウル
３    循環流路
４    循環手段
５    除菌成分生成手段
６    制御手段
７    濁度検知センサー
【図１】
2016014281.tif 000003
【図２】
2016014281.tif 000004
【図３】
2016014281.tif 000005